(57)【要約】【課題】非表示とした表示パネルの駆動における消費電力をより抑えることのできる電気光学装置を提供する。【解決手段】電気光学装置は、数の表示領域と、複数の信号線と、複数の走査線と、を備える表示部と、走査線駆動回路と、信号線駆動回路と、制御部と、を備える。複数の信号線は、複数の表示領域に共通のものである。複数の走査線は、複数の表示領域それぞれに設けられている。電気光学装置は、複数の表示領域のうち第１の表示領域を表示状態とし、第２の表示領域を非表示状態とする場合、制御部は、１フレーム期間中のうち、第２の表示領域を非表示状態とする非表示期間においては、複数の信号線の全てに所定の電圧を一斉に供給するとともに他方の表示領域の前記複数の走査線全てに一斉に走査信号を供給する。このようにすることで、消費電力の低減を実現することができる。【選択図】図２
2007304522.tif 000002
【特許請求の範囲】
【請求項１】
複数の表示領域と、前記複数の表示領域に共通の複数の信号線と、前記複数の表示領域
それぞれに設けられた複数の走査線と、を備える表示部と、
前記複数の表示領域毎に、前記複数の走査線に走査信号を供給する走査線駆動回路と、
前記複数の信号線に信号を供給する信号線駆動回路と、
前記走査線駆動回路及び前記信号線駆動回路を制御する制御部と、を備え、
前記複数の表示領域のうち第１の表示領域を表示状態とし、第２の表示領域を非表示状
態とする場合、前記制御部は、１フレーム期間中のうち前記第１の表示領域を表示状態と
する表示期間においては、前記信号を前記複数の信号線に供給しつつ前記第１の表示領域
の前記複数の走査線に順次走査信号を供給し、前記第２の表示領域を非表示状態とする非
表示期間においては、前記複数の信号線の全てに所定の電圧を一斉に供給するとともに前
記第２の表示領域の前記複数の走査線全てに一斉に走査信号を供給することを特徴とする
電気光学装置。
【請求項２】
前記非表示期間は垂直帰線期間であり、前記表示期間は前記１フレーム期間のうち前記
垂直帰線期間以外の期間であることを特徴とする請求項１に記載の電気光学装置。
【請求項３】
請求項１又は２に記載の液晶表示装置を表示部に備えることを特徴とする電子機器。
【請求項４】
複数の表示領域と、前記複数の表示領域に共通の複数の信号線と、前記複数の表示領域
それぞれに設けられた複数の走査線と、を備える表示部と、
前記複数の表示領域毎に、前記複数の走査線に走査信号を供給する走査線駆動回路と、
前記複数の信号線に信号を供給する信号線駆動回路と、
前記走査線駆動回路及び前記信号線駆動回路を制御する制御部と、を備えた電気光学装
置の駆動方法であって、
前記複数の表示領域のうち第１の表示領域を表示状態とし、第２の表示領域を非表示状
態とする場合、前記制御部は、１フレーム期間中のうち前記第１の表示領域を表示状態と
する表示期間においては、前記信号を前記複数の信号線に供給しつつ前記第１の表示領域
の前記複数の走査線に順次走査信号を供給し、前記第２の表示領域を非表示状態とする非
表示期間においては、前記複数の信号線の全てに所定の電圧を一斉に供給するとともに前
記第２の表示領域の前記複数の走査線全てに一斉に走査信号を供給する電気光学装置の駆
動方法。
【発明の詳細な説明】
【技術分野】
【０００１】
本発明は、各種情報の表示に用いて好適な電気光学装置に関する。
【背景技術】
【０００２】
最近では、いわゆる両面表示型の携帯電話などが普及している。折り畳み式の携帯電話
では、一般的に、操作ボタンなどが設けられた本体部に対して蝶番式に折り畳み可能に表
示部（構造上、ふた側に相当する）が取り付けられており、表示部の内側（操作ボタンと
対向する側）に大型のメイン表示パネルが設けられ、表示部の外側（背面側）に小型のサ
ブ表示パネルが設けられている。即ち、メイン表示パネルとサブ表示パネルは互いに背中
合わせに設けられている。メイン表示パネル及びサブ表示パネルとしては、例えば、液晶
表示パネルが用いられる。
【０００３】
液晶表示パネルは、マトリクス状に配置されたソース線及びゲート線を有し、ソース線
とゲート線とが交差する交点毎にスイッチング素子及び画素電極が設けられ、画素電極に
対向して対向電極が設けられ、この画素電極と対向電極の間に液晶層が設けられてなる構
造を有する。
【０００４】
従来は、メイン表示パネルとサブ表示パネルは夫々、別々の駆動回路で駆動されていた
が、最近、１つの駆動回路でメイン表示パネルとサブ表示パネルの両方を駆動する表示装
置も現れてきている。
【０００５】
このような１つの駆動回路でメイン・サブ両方の表示パネルを駆動する場合においても
、一方の表示パネルに画像を表示し、他方の表示パネルを非表示とすることができるが、
駆動回路が共通となっているため、非表示とした他方の表示パネルにも、一方の表示パネ
ルを表示した際に電荷が充電される。そこで、非表示とした他方の表示パネルについても
、充電された電荷を放電するために駆動を行う必要が生じる。
【０００６】
従来の液晶表示装置では、対向電極駆動回路は、メイン表示パネルとサブ表示パネルの
両方の対向電極を同一の制御信号により駆動するとしていたため、メイン表示パネルの対
向電極と、サブ表示パネルの対向電極とを独立に制御することができなかった。そのため
、対向電極駆動回路は常に１水平期間毎の交流駆動を行うこととなり、非表示とした表示
パネルを駆動する場合においても消費電力が増加していた。
【０００７】
以下の特許文献１に記載の液晶表示装置では、対向電極駆動回路は、表示した表示パネ
ルを駆動する場合と、非表示とした表示パネルを駆動する場合とで、異なった制御信号に
より駆動することとし、非表示とした表示パネルを駆動する場合には、１垂直期間毎の対
向電極の交流駆動を行うことで、駆動周波数を下げ、消費電力を抑えている。
【０００８】
【特許文献１】特開２００５−９１６２９号公報
【発明の開示】
【発明が解決しようとする課題】
【０００９】
しかしながら、特許文献１に記載の液晶表示装置では、非表示とした表示パネルを駆動
する場合において、ゲート線駆動回路は１水平期間毎に順次排他的にゲート線にゲート信
号を供給しているため、十分に消費電力を抑えたものとはなっていなかった。
【００１０】
本発明は上記の点に鑑みてなされたものであり、非表示とした表示パネルの駆動におけ
る消費電力をより抑えることのできる電気光学装置を提供することを課題とする。
【課題を解決するための手段】
【００１１】
本発明の１つの観点では、電気光学装置は、複数の表示領域と、前記複数の表示領域に
共通の複数の信号線と、前記複数の表示領域それぞれに設けられた複数の走査線と、を備
える表示部と、前記複数の表示領域毎に、前記複数の走査線に走査信号を供給する走査線
駆動回路と、前記複数の信号線に信号を供給する信号線駆動回路と、前記走査線駆動回路
及び前記信号線駆動回路を制御する制御部と、を備え、前記複数の表示領域のうち第１の
表示領域を表示状態とし、第２の表示領域を非表示状態とする場合、前記制御部は、１フ
レーム期間中のうち前記第１の表示領域を表示状態とする表示期間においては、前記信号
を前記複数の信号線に供給しつつ前記第１の表示領域の前記複数の走査線に順次走査信号
を供給し、前記第２の表示領域を非表示状態とする非表示期間においては、前記複数の信
号線の全てに所定の電圧を一斉に供給するとともに前記第２の表示領域の前記複数の走査
線全てに一斉に走査信号を供給する。
【００１２】
上記の電気光学装置は、複数の表示領域と、複数の信号線と、複数の走査線と、を備え
る表示部と、走査線駆動回路と、信号線駆動回路と、制御部と、を備える。前記複数の信
号線は、前記複数の表示領域に共通のものである。前記複数の走査線は、前記複数の表示
領域それぞれに設けられている。前記走査線駆動回路は、前記複数の表示領域毎に、前記
複数の走査線に走査信号を供給する。前記信号線駆動回路は、前記複数の信号線に信号を
供給する。前記制御部は、前記走査線駆動回路及び前記信号線駆動回路を制御する。
【００１３】
上記の電気光学装置は、例えば両面表示型の液晶表示装置であり、この場合、前記複数
の表示領域は、例えばサブ表示パネルとメイン表示パネルに該当する。前記複数の信号線
、前記信号線駆動回路は、例えば複数のソース線、ソース線駆動回路に夫々該当し、前記
複数の走査線、前記走査線駆動回路は、例えば複数のゲート線、ゲート線駆動回路に夫々
該当する。
【００１４】
上記の電気光学装置は、前記複数の表示領域のうち第１の表示領域を表示状態とし、第
２の表示領域を非表示状態とする場合、前記制御部は、１フレーム期間中のうち前記第１
の表示領域を表示状態とする表示期間においては、前記信号を前記複数の信号線に供給し
つつ前記第１の表示領域の前記複数の走査線に順次走査信号を供給し、前記第２の表示領
域を非表示状態とする非表示期間においては、前記複数の信号線の全てに所定の電圧を一
斉に供給するとともに前記第２の表示領域の前記複数の走査線全てに一斉に走査信号を供
給する。
【００１５】
上記の電気光学装置は、これにより、一般的な両面表示型の液晶表示装置と比較して、
１フレーム期間中において、電荷のリフレッシュに要する時間を短縮することができ、そ
の分、表示状態とされる表示領域に画像を表示するための期間を長くとることができる。
電荷のリフレッシュとは、例えば、非表示状態とされた表示領域に充電された電荷を放電
するために、当該非表示状態とされた表示領域の画素電極の電位がオフレベルとなる信号
を走査線及び信号線に供給することを意味するが、これに限られるものではなく、代わり
に、所定の走査信号を走査線に、所定の電圧を信号線に供給することで、非表示状態とさ
れた表示領域に充電される電荷を当該非表示状態とされた表示領域全体として均一にする
ことをも意味として含む。
【００１６】
このようにすることで、表示状態とされる表示領域に画像を表示するための、前記複数
の走査線に供給される走査信号、前記複数の信号線に供給される信号、クロック信号の各
駆動周波数を下げることができ、消費電力の低減を実現することができる。
【００１７】
上記の電気光学装置の他の一態様は、前記非表示期間は垂直帰線期間であり、前記表示
期間は前記１フレーム期間のうち前記垂直帰線期間以外の期間である。これにより、上記
の電気光学装置は、１フレーム期間中における垂直帰線期間以外の期間を、表示状態とさ
れる表示領域における画像の表示のために使うことができる。そのため、表示状態とされ
る表示領域に画像を表示するための、前記複数の走査線に供給される走査信号、前記複数
の信号線に供給される信号、クロック信号の各駆動周波数を最大限に下げることができる
。
【００１８】
本発明の他の観点では、上記の液晶表示装置を表示部に備えることを特徴とする電子機
器を構成することができる。
【００１９】
本発明の更なる他の観点では、複数の表示領域と、前記複数の表示領域に共通の複数の
信号線と、前記複数の表示領域それぞれに設けられた複数の走査線と、を備える表示部と
、前記複数の表示領域毎に、前記複数の走査線に走査信号を供給する走査線駆動回路と、
前記複数の信号線に信号を供給する信号線駆動回路と、前記走査線駆動回路及び前記信号
線駆動回路を制御する制御部と、を備えた電気光学装置の駆動方法は、前記複数の表示領
域のうち第１の表示領域を表示状態とし、第２の表示領域を非表示状態とする場合、前記
制御部は、１フレーム期間中のうち前記第１の表示領域を表示状態とする表示期間におい
ては、前記信号を前記複数の信号線に供給しつつ前記第１の表示領域の前記複数の走査線
に順次走査信号を供給し、前記第２の表示領域を非表示状態とする非表示期間においては
、前記複数の信号線の全てに所定の電圧を一斉に供給するとともに前記第２の表示領域の
前記複数の走査線全てに一斉に走査信号を供給する。
【００２０】
上記の電気光学装置の駆動方法によっても、１フレーム期間中において、リフレッシュ
に要する時間を短縮することができ、その分、表示状態とされる表示領域に画像を表示す
るための期間を長くとることができる。そのため、表示状態とされる表示領域に画像を表
示するための、前記複数の走査線に供給される走査信号、前記複数の信号線に供給される
信号、クロック信号の各駆動周波数を下げることができ、消費電力の低減を実現すること
ができる。
【発明を実施するための最良の形態】
【００２１】
以下、図面を参照して本発明の好適な実施形態について説明する。尚、以下の実施形態
は、本発明を液晶表示装置に適用したものである。なお、本実施形態に係る液晶表示装置
１００は、駆動回路以外の部分については、一般的な両面表示型の液晶表示装置と同様の
構成となる。
【００２２】
[液晶表示装置]
図１は本実施形態に係る液晶表示装置１００の概略構成を示す側面図である。なお、図
１では説明の便宜上、各構成要素の間隔を開けて図示しているが、実際にはそれらは図中
の上下方向に重ねられた状態で液晶表示装置１００を構成している。
【００２３】
液晶表示装置１００はいわゆる両面表示型のパネルであり、光源部１５と導光板１１に
より構成される１つの照明装置９の上下に液晶表示パネル２０及び３０を配置してなる。
光源部１５は、点光源である複数のＬＥＤ１６を備える。各ＬＥＤ１６から出射された光
Ｌは図示のように導光板１１内へ入り、導光板１１の上下面で反射を繰り返すことにより
方向を変え、導光板１１の上下面から照明光Ｌａ及びＬｂとして外部へ出射する。
【００２４】
液晶表示パネル２０は、両面表示型の携帯電話で言えば、メイン表示パネルに対応し、
導光板１１の発光面積とほぼ同一の表示面積を有する。液晶表示パネル２０は、ガラスな
どの基板１ａ及び２ａを、シール材３ａを介して貼り合わせてセル構造を形成し、その内
部に液晶４ａを封入して構成される。
【００２５】
照明装置９と液晶表示パネル２０との間には、光学シート１２ａが設けられる。光学シ
ート１２ａは、拡散シートやプリズムシートである。拡散シートは、導光板１１から出射
された光Ｌａを拡散する役割を有し、プリズムシートは、導光板１１から出射した光Ｌａ
を液晶表示パネル２０へ向けて出射する役割を有する。導光板１１から出射した光Ｌａは
、光学シート１２ａを経て液晶表示パネル２０を照明する。
【００２６】
一方、液晶表示パネル３０は液晶表示パネル２０よりも小型であり、液晶表示パネル２
０よりも表示面積が小さいパネルである。液晶表示パネル３０は、両面表示型の携帯電話
で言えば、サブ表示パネル（メイン表示パネルの背面に設けられた小型の表示パネル）に
相当する。液晶表示パネル３０もガラスなどの基板１ｂ及び２ｂを、シール材３ｂを介し
て貼り合わせ、その内部に液晶４ｂを封入して構成される。
【００２７】
液晶表示パネル３０と導光板１０との間にも、拡散シートやプリズムシートといった光
学シート１２ｂが設けられる。導光板１１から出射した光Ｌｂは、光学シート１２ｂを経
て液晶表示パネル３０を照明する。
【００２８】
液晶表示パネル２０には、ＣＯＧ（Chip On Glass）技術により、液晶駆動用ＩＣ（ド
ライバ）たるドライバＩＣ４０が直接実装されている。また、液晶表示パネル２０には出
力端子１７ａが実装され、液晶表示パネル３０には入力端子１７ｂが実装される。液晶表
示パネル３０は、出力端子１７ａ、入力端子１７ｂを結ぶＦＰＣ（Flexible Printed Cir
cuit）１３によって、液晶表示パネル２０と電気的に接続されている。後に詳しく述べる
が、液晶表示パネル３０のソース線は、ＦＰＣ１３を介して液晶表示パネル２０のソース
線と電気的に接続され、液晶表示パネル２０、３０のソース線は、ドライバＩＣ４０によ
って駆動される。
【００２９】
次に、液晶表示パネル２０及び３０の駆動回路の構成について具体的に述べる。図２は
、本実施形態に係る液晶表示パネル２０及び３０の概略構成を模式的に示す平面図である
。液晶表示パネル２０及び３０は、ＴＦＴ素子（Thin Film Transistor）などのスイッチ
ング素子を用いたアクティブマトリクス駆動方式の液晶表示装置である。なお、図２では
、紙面縦方向（列方向）をＹ方向と、また、紙面横方向（行方向）をＸ方向と規定する。
【００３０】
まず、液晶表示パネル２０の駆動回路の構成について述べる。液晶表示パネル２０は、
先にも述べたように、基板１ａ及び２ａを、シール材３ａを介して貼り合わせてセル構造
を形成し、その内部に液晶４ａを封入して構成される。図２では、液晶４ａ、シール材３
ａの図示を省略してある。
【００３１】
基板１ａの内面上には、複数のソース線３２ａ、複数のゲート線３３ａ、複数のＴＦＴ
素子５１、複数の画素電極５２、ドライバＩＣ４０、ゲート線駆動回路２１ａ、出力端子
１７ａなどが形成若しくは実装されている。
【００３２】
基板１ａは、基板２ａの一端側から外側へ張り出してなる領域を有しており、その領域
上には、ドライバＩＣ４０が実装されている。ドライバＩＣ４０は、配線３５を介して外
部の電子機器と接続されている。複数のソース線３２ａは、Ｙ方向に延在するように且つ
Ｘ方向に適宜の間隔をおいて形成されている。複数のソース線３２ａは、一端がドライバ
ＩＣ４０に電気的に接続されている。複数のソース線３２ａのうち、一部のソース線３２
ａは、他端が出力端子１７ａよりＦＰＣ１３を介して液晶表示パネル３０のソース線３２
ｂと電気的に接続されている。従って、ドライバＩＣ４０は、液晶表示パネル２０、３０
におけるソース線駆動回路として機能する。
【００３３】
また、基板１ａは、Ｘ方向にも張り出してなる領域を有しており、その領域上には、ゲ
ート線駆動回路２１ａが実装されている。ＧＡ１、ＧＡ２・・・、ＧＡｍ（ｍ：自然数）
で示すｍ本の複数のゲート線３３ａは、Ｘ方向に延在するように且つＹ方向に適宜の間隔
をおいて形成され、複数のソース線３２ａと直交するように形成されている。当該複数の
ゲート線３３ａは、一端がゲート線駆動回路２１ａに電気的に接続されている。
【００３４】
各ソース線３２ａと各ゲート線３３ａが交差する位置にはＴＦＴ素子５１が設けられて
おり、ＴＦＴ素子５１は各ソース線３２ａ、各ゲート線３３ａ及び画素電極５２に電気的
に接続されている。画素電極５２は、例えばＩＴＯ（Indium-Tin Oxide）などの透明導電
材料により形成されている。
【００３５】
一方、基板１ａに対向する基板２ａの内面上には、画素電極５２に対応する位置にカラ
ーフィルタが形成され、当該カラーフィルタを区画する位置に遮光層が形成されている。
そして、基板２ａの内面上の略一面には、ＩＴＯなどにより対向電極８ａが形成されてい
る。図２では、カラーフィルタ及び遮光層の図示を省略し、対向電極８ａのみを破線で示
す。
【００３６】
次に、液晶表示パネル３０の駆動回路の構成について述べる。液晶表示パネル３０は、
先にも述べたように、基板１ｂ及び２ｂを、シール材３ｂを介して貼り合わせてセル構造
を形成し、その内部に液晶４ｂを封入して構成される。図２では、液晶４ｂ、シール材３
ｂの図示を省略してある。
【００３７】
基板１ｂの内面上には、複数のソース線３２ｂ、複数のゲート線３３ｂ、複数のＴＦＴ
素子５１、複数の画素電極５２、ゲート線駆動回路２１ｂ、入力端子１７ｂなどが形成若
しくは実装されている。
【００３８】
複数のソース線３２ｂは、Ｙ方向に延在するように且つＸ方向に適宜の間隔をおいて形
成されている。複数のソース線３２ｂは、一端が入力端子１７ｂよりＦＰＣ１３を介して
液晶表示パネル２０の一部のソース線３２ａと接続されている。基板１ｂは、Ｘ方向に張
り出してなる領域を有しており、その領域上には、ゲート線駆動回路２１ｂが実装されて
いる。ＧＢ１、ＧＢ２・・・、ＧＢｎ（ｎ：自然数）で示すｎ本の複数のゲート線３３ｂ
は、Ｘ方向に延在するように且つＹ方向に適宜の間隔をおいて形成され、複数のソース線
３２ｂと直交するように形成されている。複数のゲート線３３ｂは、一端がゲート線駆動
回路２１ｂと電気的に接続されている。
【００３９】
各ソース線３２ｂと各ゲート線３３ｂが交差する位置にもＴＦＴ素子５１が設けられて
おり、ＴＦＴ素子５１は各ソース線３２ｂ、各ゲート線３３ｂ及び画素電極５２に電気的
に接続されている。基板１ｂに対向する基板２ｂの内面上には、画素電極５２に対応する
位置にカラーフィルタが形成され、当該カラーフィルタを区画する位置に遮光層が形成さ
れている。そして、基板２ｂの内面上の略一面には、ＩＴＯなどにより対向電極８ｂが形
成されている。図２では、カラーフィルタ及び遮光層の図示を省略し、対向電極８ｂのみ
を破線で示す。
【００４０】
対向電極８ａ、８ｂは、ドライバＩＣ４０と配線によって電気的に接続されており、ド
ライバＩＣは、対向電極８ａ、８ｂに対して駆動信号ＶＣＯＭを供給する。従って、ドラ
イバＩＣは、対向電極駆動回路としても機能する。
【００４１】
ドライバＩＣ４０は、ゲート線駆動回路２１ａ、ゲート線駆動回路２１ｂと図示しない
種々の配線によって電気的に接続されている。ドライバＩＣ４０は、外部の電子機器から
供給された信号を基に、ゲート線駆動回路２１ａ、２１ｂに対し、種々の制御信号を供給
する。つまり、ドライバＩＣ４０は、液晶表示装置１００の駆動を制御する制御回路、即
ち、本発明における制御部として機能する。
【００４２】
具体的には、ドライバＩＣ４０は、クロック信号ＣＬＫをゲート線駆動回路２１ａ、２
１ｂに供給する。また、ドライバＩＣ４０は、スタート信号ＳＴＶ１をゲート線駆動回路
２１ｂに、スタート信号ＳＴＶ２をゲート線駆動回路２１ａに供給する。ここでいうスタ
ート信号とは、１フレームの開始信号のことである。
【００４３】
また、ゲート線駆動回路２１ａ、２１ｂ間も配線によって電気的に接続されており、ゲ
ート線駆動回路２１ａ、２１ｂは、互いにカスケード信号ＣＡＳをやりとりすることがで
きる。具体的には、一方の液晶表示パネルのゲート線駆動回路は、当該一方の液晶表示パ
ネルにおける全てのゲート線にゲート信号を供給し終えた後、カスケード信号ＣＡＳを他
方の液晶表示パネルのゲート線駆動回路に供給する。他方の液晶表示パネルのゲート線駆
動回路は、カスケード信号ＣＡＳを受信した後、当該他方の液晶表示パネルのゲート線に
ゲート信号を供給し始める。即ち、カスケード信号ＣＡＳとは、一方の液晶表示パネルに
おける画像表示が終わったことを、他方の液晶表示パネルのゲート線駆動回路に知らせる
ための信号である。
【００４４】
本実施形態に係る液晶表示装置１００の特徴として、ドライバＩＣ４０は、全ゲートオ
ン信号ＡＯＮ１をゲート線駆動回路２１ｂに供給し、全ゲートオン信号ＡＯＮ２をゲート
線駆動回路２１ａに供給する。後に詳しく述べるが、ここでいう全ゲートオン信号ＡＯＮ
１とは、ゲート線駆動回路２１ｂに対し、全てのゲート線３３ｂにゲート信号を一斉に供
給することを指示する制御信号であり、全ゲートオン信号ＡＯＮ２とは、ゲート線駆動回
路２１ａに対し、全てのゲート線３３ａにゲート信号を一斉に供給することを指示する制
御信号である。
【００４５】
（２画面表示の場合の駆動方法）
次に、以上の構成を有する液晶表示装置１００における駆動方法について述べる。
【００４６】
最初に、液晶表示装置１００が２画面表示を行う場合、即ち、液晶表示パネル２０、３
０の両方に画像を表示する場合の駆動方法について述べる。図３に、液晶表示装置１００
が２画面表示を行う場合における駆動シーケンスを示す。
【００４７】
図３において、ソース線駆動回路として機能するドライバＩＣ４０によってソース線３
２ａ、３２ｂに供給されるソース信号をＳＣＥとして示す。本実施形態に係る液晶表示装
置１００では、１ラインごとに対向電極８ａ、８ｂの電位を反転するライン反転駆動が採
用されており、ＶＣＯＭは、１ラインごとに反転する。従って、それに伴い、ＳＣＥも、
１ラインごとに反転する。図３において、ＧＢ１、ＧＢ２・・・、ＧＢｎ、ＧＡ１、ＧＡ
２・・・、ＧＡｍで示す駆動信号の波形は、図２におけるＧＢ１、ＧＢ２・・・、ＧＢｎ
、ＧＡ１、ＧＡ２・・・、ＧＡｍで示す各ゲート線にゲート信号が供給されているか否か
を示し、ゲート信号が各ゲート線に供給されたときの波形を矩形波として示している。
【００４８】
まず、液晶表示パネル３０において、ゲート線駆動回路２１ｂは、ドライバＩＣ４０よ
りスタート信号ＳＴＶ１を受信すると、ＧＢ１、ＧＢ２・・・、ＧＢｎ−１、ＧＢｎの順
にゲート線３３ｂを順次排他的に選択すると共に、選択したゲート線３３ｂには、ゲート
信号を供給する。詳しくは、ゲート線駆動回路２１ｂは、選択したゲート線３３ｂには、
選択電圧のゲート信号を供給し、他の非選択のゲート線３３ｂには非選択電圧のゲート信
号を供給する。つまり、ゲート線にゲート信号を供給するとは、ゲート線に選択電圧のゲ
ート信号を供給することを意味する。つまり、図３では、選択電圧のゲート信号の波形を
、矩形波として示している。
【００４９】
ソース線駆動回路として機能するドライバＩＣ４０は、選択されたゲート線３３ｂに対
応する位置に存在する画素電極５２に対し、表示内容に応じたソース信号を各ソース線３
２ｂ、ＴＦＴ素子５１を介して供給する。これにより、液晶表示パネル３０における液晶
４ｂの表示状態が、非表示状態または中間表示状態に切り替えられ、液晶４ｂ内の液晶分
子の配向状態が制御されることとなり、液晶表示パネル３０において所望の画像を表示す
ることができる。このときの駆動シーケンスを、図３では、液晶表示パネル３０の表示期
間として示している。
【００５０】
ゲート線駆動回路２１ｂは、ＧＢｎのゲート線３３ｂにゲート信号を供給し終えた後、
即ち、液晶表示パネル３０において所望の画像を表示し終えた後、ゲート線駆動回路２１
ａにカスケード信号ＣＡＳを供給する。ゲート線駆動回路２１ａは、当該カスケード信号
ＣＡＳを受信すると、ＧＡ１、ＧＡ２・・・、ＧＡｍ−１、ＧＡｍの順にゲート線３３ａ
を順次排他的に選択すると共に、選択したゲート線３３ａには、ゲート信号を供給する。
そして、ソース線駆動回路として機能するドライバＩＣ４０は、選択されたゲート線３３
ａに対応する位置に存在する画素電極５２にたいし、表示内容に応じたソース信号を各ソ
ース線３２ａ、ＴＦＴ素子５１を介して供給する。これにより、液晶表示パネル２０にお
ける液晶４ａの表示状態が、非表示状態または中間表示状態に切り替えられ、液晶４ａ内
の液晶分子の配向状態が制御されることとなり、液晶表示パネル２０において所望の画像
を表示することができる。このときの駆動シーケンスを、図３では、液晶表示パネル２０
の表示期間として示している。
【００５１】
以上に述べた動作を、１フレーム期間（例えば、図３では、１６．７ｍｓｅｃ（６０Ｈ
ｚ）を１フレーム期間としている）の間に行うことで、液晶表示装置１００は、液晶表示
パネル２０、３０の両方に所望の画像を表示することができる。
【００５２】
（サブ表示パネルのみを表示する場合の駆動方法）
次に、液晶表示装置１００が１画面表示を行う場合、即ち、液晶表示パネル２０、３０
のうち、片方にのみ画像を表示する場合の駆動方法について述べる。まず、サブ表示パネ
ルたる液晶表示パネル３０にのみ画像を表示する場合の駆動方法について述べる。図４に
、液晶表示パネル３０のみに画像を表示し、液晶表示パネル２０を非表示とする場合にお
ける液晶表示装置１００の駆動シーケンスを示す。
【００５３】
この場合、液晶表示パネル３０において、ゲート線駆動回路２１ｂは、ドライバＩＣ４
０よりスタート信号ＳＴＶ１を受信すると、ＧＢ１、ＧＢ２・・・、ＧＢｎ−１、ＧＢｎ
の順にゲート線３３ｂを順次排他的に選択すると共に、選択したゲート線３３ｂには、ゲ
ート信号を供給する。そして、ソース線駆動回路として機能するドライバＩＣ４０は、選
択されたゲート線３３ｂに対応する位置に存在する画素電極５２に対し、表示内容に応じ
たソース信号を各ソース線３２ｂ、ＴＦＴ素子５１を介して供給する。これにより、液晶
表示パネル３０における液晶４ｂの表示状態が、非表示状態または中間表示状態に切り替
えられ、液晶４ｂ内の液晶分子の配向状態が制御されることとなり、液晶表示パネル３０
において所望の画像を表示することができる。このときの駆動シーケンスを、図４では、
液晶表示パネル３０の表示期間として示している。
【００５４】
ここで、液晶表示パネル２０のソース線３２ａと、液晶表示パネル３０のソース線３２
ｂは、先に述べたようにＦＰＣ１３によって電気的に接続されているので、液晶表示パネ
ル２０が非表示の場合であっても、液晶表示パネル３０のソース線３２ｂに供給されるソ
ース信号は、液晶表示パネル２０のソース線３２ａにも供給されることとなる。そのため
、非表示とされた液晶表示パネル２０の画素電極５２及び対向電極８ａにも電荷が充電さ
れることとなる。そこで、非表示とされた液晶表示パネル２０についても、画素電極５２
及び対向電極８ａに充電された電荷をリフレッシュする必要があるため、駆動する必要が
ある。
【００５５】
電荷をリフレッシュするとは、例えば、非表示とされた液晶表示パネルに充電された電
荷を放電するために、画素電極５２の電位がオフレベルとなるように、所定のゲート信号
をゲート線に、オフレベルに設定されたソース信号をソース線に供給することを意味する
が、これに限られるものではなく、代わりに、所定のゲート信号をゲート線に、所定の電
圧のソース信号をソース線に供給することで、非表示とされた液晶表示パネルに充電され
る電荷を全体として当該非表示とされた液晶表示パネル全体で均一にすることをも意味と
して含む。
【００５６】
本実施形態に係る液晶表示装置１００では、ドライバＩＣ４０は、液晶表示パネル３０
において所望の画像を表示した後の所定の期間の間、即ち、液晶表示パネル３０の表示期
間を終えた後の所定の期間の間、例えば、電荷のリフレッシュとして電荷の放電を行う場
合には、液晶表示パネル２０の対向電極８ａの駆動信号をオフレベルに設定し、全てのソ
ース線３２ａにリフレッシュを行うためのオフレベルに設定されたソース信号を一斉に供
給する。このとき、ドライバＩＣ４０は、ゲート線駆動回路２１ａに対し、全ゲートオン
信号ＡＯＮ２を供給する。ゲート線駆動回路２１ａは、全ゲートオン信号ＡＯＮ２を受信
すると、全てのゲート線３３ａにリフレッシュを行うためのゲート信号を一斉に供給する
。このようにして、液晶表示パネル２０の画素電極５２及び対向電極８ａに充電された電
荷はリフレッシュされる。図４では、電荷のリフレッシュは、一例として、垂直帰線期間
に行われるとし、このときの駆動シーケンスを垂直帰線期間に示している。
【００５７】
一般的な両面表示型の液晶表示装置では、電荷のリフレッシュを行うために、１水平期
間毎に、ＧＡ１、ＧＡ２・・・、ＧＡｍ−１、ＧＡｍの順にゲート線３３ａを順次排他的
に選択して、選択したゲート線３３ａに、リフレッシュのためのゲート信号を供給してい
たのに対し、本実施形態に係る液晶表示装置１００では、全てのゲート線３３ａにリフレ
ッシュのためのゲート信号を一斉に供給することにより、液晶表示パネル２０の画素電極
５２及び対向電極８ａに充電された電荷をリフレッシュしている。そのため、本実施形態
に係る液晶表示装置１００は、一般的な両面表示型の液晶表示装置と比較して、リフレッ
シュに要する時間を短縮することができる。
【００５８】
このようにすることで、本実施形態に係る液晶表示装置１００は、一般的な両面表示型
の液晶表示装置と比較して、１フレーム期間中において、リフレッシュに要する時間を短
縮することができ、その分、液晶表示パネル３０に画像を表示するための期間を長くとる
ことができる。そのため、本実施形態に係る液晶表示装置１００は、一般的な両面表示型
の液晶表示装置と比較して、液晶表示パネル３０に画像を表示するためのゲート線３３ｂ
に供給するゲート信号、ソース線３２ｂに供給するソース信号、クロック信号の各駆動周
波数を下げることができる。従って、本実施形態に係る液晶表示装置１００は、一般的な
両面表示型の液晶表示装置と比較して、消費電力の低減を実現することができる。
【００５９】
なお、図４に示すように、液晶表示パネル２０の画素電極５２及び対向電極８ａに充電
された電荷をリフレッシュする期間としては、液晶表示パネルの表示期間とならない垂直
帰線期間が望ましい。このようにすることで、本実施形態に係る液晶表示装置１００は、
１フレーム期間中における垂直帰線期間以外の期間、即ち画像の表示期間の全てを、液晶
表示パネル３０の表示のために使うことができ、そのときのゲート信号、ソース信号、ク
ロック信号の各駆動周波数を最大限に下げることができる。しかし、電荷のリフレッシュ
が行われる期間としては、垂直帰線期間に限られるものではなく、代わりに、垂直帰線期
間以外の所定の期間において行われるとしてもよいのは言うまでもない。
【００６０】
（メイン表示パネルのみを表示する場合の駆動方法）
次に、メイン表示パネルたる液晶表示パネル２０にのみ画像を表示する場合の駆動方法
について述べる。図５に、液晶表示パネル２０のみに画像を表示し、液晶表示パネル３０
を非表示とする場合における液晶表示装置１００の駆動シーケンスを示す。
【００６１】
この場合、液晶表示パネル２０において、ゲート線駆動回路２１ｂは、ドライバＩＣ４
０よりスタート信号ＳＴＶ２を受信すると、ＧＡ１、ＧＡ２・・・、ＧＡｍ−１、ＧＡｍ
の順にゲート線３３ａを順次排他的に選択すると共に、選択したゲート線３３ａには、ゲ
ート信号を供給する。そして、ソース線駆動回路として機能するドライバＩＣ４０は、選
択されたゲート線３３ａに対応する位置に存在する画素電極５２に対し、表示内容に応じ
たソース信号を各ソース線３２ａ、ＴＦＴ素子５１を介して供給する。これにより、液晶
表示パネル２０における液晶４ａの表示状態が、非表示状態または中間表示状態に切り替
えられ、液晶４ａ内の液晶分子の配向状態が制御されることとなり、液晶表示パネル２０
において所望の画像を表示することができる。このときの駆動シーケンスを、図５では、
液晶表示パネル２０の表示期間として示している。
【００６２】
ドライバＩＣ４０は、液晶表示パネル２０において所望の画像を表示した後の所定の期
間の間、即ち、液晶表示パネル２０の表示期間を終えた後の所定の期間の間、電荷のリフ
レッシュを行うため、例えば、電荷の放電を行う場合には、液晶表示パネル３０の対向電
極８ｂの駆動信号を例えばオフレベルに設定し、全てのソース線３２ｂにリフレッシュを
行うためのオフレベルに設定されたソース信号を一斉に供給する。このとき、ドライバＩ
Ｃ４０は、ゲート線駆動回路２１ｂに対し、全ゲートオン信号ＡＯＮ１を供給する。ゲー
ト線駆動回路２１ｂは、全ゲートオン信号ＡＯＮ１を受信すると、全てのゲート線３３ｂ
にリフレッシュを行うためのゲート信号を一斉に供給する。このようにして、液晶表示パ
ネル３０の画素電極５２及び対向電極８ｂに充電された電荷はリフレッシュされる。図５
では、リフレッシュは、一例として、垂直帰線期間に行われるとし、このときの駆動シー
ケンスを垂直帰線期間に示している。
【００６３】
本実施形態に係る液晶表示装置１００は、メイン表示パネルたる液晶表示パネル２０の
みに画像を表示する場合においても、１フレーム期間中において、リフレッシュに要する
時間を短縮することができ、その分、液晶表示パネル２０に画像を表示するための期間を
長くとることができ、液晶表示パネル２０のゲート線３３ａに供給するゲート信号、ソー
ス線３２ａに供給するソース信号、クロック信号の各駆動周波数を下げることができる。
【００６４】
（液晶表示装置の駆動方法についてのフローチャート）
次に、本実施形態に係る液晶表示装置１００の駆動方法について、図６に示すフローチ
ャートを基に説明する。図６は、液晶表示装置１００の駆動方法を示すフローチャートで
あり、具体的には、垂直帰線期間における液晶表示装置１００の駆動方法を示すフローチ
ャートである。
【００６５】
ドライバＩＣ４０は、まず、１フレーム期間中における現在の時刻が垂直帰線期間にあ
るか否かについて判定する（ステップＳ１１）。ドライバＩＣ４０は、現在の時刻が垂直
帰線期間にないと判定した場合には（ステップＳ１１：Ｎｏ）、図３、図４、図５で示し
た液晶表示パネル２０、３０の表示期間における駆動シーケンスで示したように、通常の
表示のための駆動を行う（ステップＳ１８）。ドライバＩＣ４０は、当該時刻が垂直帰線
期間にあると判定した場合には（ステップＳ１１：Ｙｅｓ）、外部の電子機器からの信号
を基に液晶表示装置１００の駆動モードが２画面表示を行う駆動モードとなっているか否
かを判定する（ステップＳ１２）。
【００６６】
ドライバＩＣ４０は、液晶表示装置１００の駆動モードが２画面表示を行う駆動モード
となっていると判定した場合には（ステップＳ１２：Ｙｅｓ）、リフレッシュを行う必要
はないので、処理を終了する。ドライバＩＣ４０は、液晶表示装置１００の駆動モードが
２画面表示を行う駆動モードとなっていないと判定した場合には（ステップＳ１２：Ｎｏ
）、外部の電子機器からの信号を基に液晶表示装置１００の駆動モードがサブ表示パネル
のみを表示する駆動モードとなっているか否かについて判定する（ステップＳ１３）。
【００６７】
ドライバＩＣ４０は、液晶表示装置１００の駆動モードがサブ表示パネルのみを表示す
る駆動モードとなっていると判定した場合には（ステップＳ１３：Ｙｅｓ）、メイン表示
パネルのリフレッシュを行うか否かについて、外部の電子機器からの信号を基に判定し（
ステップＳ１６）、行う必要はないと判定した場合には（ステップＳ１６：Ｎｏ）、処理
を終了する。ドライバＩＣ４０は、メイン表示パネルのリフレッシュを行う必要があると
判定した場合には（ステップＳ１６：Ｙｅｓ）、メイン表示パネルたる液晶表示パネル２
０の全てのソース線３２ａ、対向電極８ａに夫々、リフレッシュを行うためのソース信号
、駆動信号ＶＣＯＭを供給すると共に、ゲート線駆動回路２１ａに対し、全ゲートオン信
号ＡＯＮ２を供給して、メイン表示パネルのリフレッシュを行った後（ステップＳ１７）
、処理を終了する。
【００６８】
一方、ドライバＩＣ４０は、ステップＳ１３において、液晶表示装置１００の駆動モー
ドがサブ表示パネルのみを表示する駆動モードとなっていないと判定した場合には（ステ
ップＳ１３：Ｎｏ）、メイン表示パネルのみを表示する駆動モードとなっていると判定で
きるので、サブ表示パネルのリフレッシュを行うか否かについて判定し（ステップＳ１４
）、行う必要なないと判定した場合には（ステップＳ１４：Ｎｏ）、処理を終了する。ド
ライバＩＣ４０は、サブ表示パネルのリフレッシュを行う必要があると判定した場合には
（ステップＳ１４：Ｙｅｓ）、サブ表示パネルたる液晶表示パネル３０の全てのソース線
３２ｂ、対向電極８ｂに夫々、リフレッシュを行うためのソース信号、駆動信号ＶＣＯＭ
を供給すると共に、ゲート線駆動回路２１ｂに対し、全ゲートオン信号ＡＯＮ１を供給し
て、サブ表示パネルのリフレッシュを行った後（ステップＳ１５）、処理を終了する。
【００６９】
以上述べたようにすることで、本実施形態に係る液晶表示装置１００は、サブ表示パネ
ル又はメイン表示パネルのうちどちらか一方を表示する駆動モードとなっている場合にお
いて、１フレーム期間中における垂直帰線期間以外の期間を、メイン表示パネル又はサブ
表示パネルのうち、表示を行う方の表示パネルの駆動のために使うことができ、表示を行
う方の表示パネルの駆動のためのゲート信号、ソース信号、クロック信号の各駆動周波数
を最大限に下げることができる。
【００７０】
[変形例]
本発明は、その趣旨を逸脱しない範囲において種々の変形が可能である。例えば、上述
の実施形態では、メイン表示パネル及びサブ表示パネルのゲート線駆動回路と、ソース線
駆動回路を分離して示しているが、これに限られるものではなく、代わりに、ドライバＩ
Ｃにメイン表示パネル及びサブ表示パネルの全ての駆動回路を持たせることとしても良い
のは言うまでもない。
【００７１】
また、上述の実施形態では、分離したメイン表示パネルとサブ表示パネルを有する２画
面表示の液晶表示装置を示しているが、これに限られるものではなく、代わりに、１画面
の液晶表示装置において、画面を表示領域と非表示領域の２つに分けて駆動させるいわゆ
るパーシャル駆動の場合にも応用可能であるのは言うまでもない。
【００７２】
[電子機器]
次に、図７及び図８を参照して、上記の液晶表示装置１００を備えた電子機器の実施形
態について説明する。
【００７３】
ここで、液晶表示パネル２０及び３０の駆動回路の制御手段１１００について説明する
。図７は、液晶表示パネル２０及び３０における制御手段１１００を示すブロック図であ
る。制御手段１１００は、液晶表示パネル２０及び３０を搭載した電子機器内に設置され
たマイクロコンピュータ等で構成される中央制御部１０００によって制御される。駆動回
路１１０Ｄは、先に述べた液晶表示パネル２０、３０におけるゲート線駆動回路、ドライ
バＩＣ４０におけるソース線駆動回路、対向電極駆動回路に相当する。制御手段１１００
は、表示情報出力源１１１０と、表示処理回路１１２０と、電源回路１１３０と、タイミ
ングジェネレータ１１４０とを有する。
【００７４】
表示情報出力源１１１０は、ＲＯＭ（Read Only Memory）やＲＡＭ（Random Access Me
mory）等からなるメモリと、磁気記録ディスクや光記録ディスク等からなるストレージユ
ニットと、デジタル画像信号を同調出力する同調回路とを備え、タイミングジェネレータ
１１４０によって生成された各種のクロック信号に基づいて、所定フォーマットの画像信
号等の形で表示情報を表示情報処理回路１１２０に供給するように構成されている。
【００７５】
表示情報処理回路１１２０は、シリアル−パラレル変換回路、増幅・反転回路、ローテ
ーション回路、ガンマ補正回路、クランプ回路等の周知の各種回路を備え、入力した表示
情報の処理を実行して、その画像情報をソース信号、ゲート信号として、クロック信号と
共に駆動回路へ供給する。電源回路１１３０は、上述の各構成要素にそれぞれ所定の電圧
を供給する。表示情報処理回路１１２０は、ドライバＩＣ４０における制御回路に相当す
る。
【００７６】
次に、本実施形態に係る液晶表示装置１００を適用可能な電子機器の具体例について図
８を参照して説明する。
【００７７】
図８は、本発明に係る電子機器の一実施形態である携帯電話機２０００を示す。この携
帯電話機２０００は、各種操作ボタンが設けられマイクを内蔵した本体部２００１と、表
示画面やアンテナを備えスピーカを内蔵した表示部２００２とを有し、本体部２００１と
表示部２００２とが相互に折りたたみ自在に構成されている。表示部２００２内には上記
の表示装置１００が内蔵され、その内面上にはメイン側の液晶表示パネル２０の表示画面
１１０が視認可能に構成され、また、外面上にはサブ側の液晶表示パネル３０の表示画面
１３０が視認可能に構成されている。
【００７８】
本実施形態では、図８（ａ）に示すように本体部２００１から表示部２００２を開くこ
とによって、上記中央制御部１０００からの指令によってメイン側の液晶表示パネル２０
が点灯し、所定の画像が表示される。また、図８（ｂ）に示すように表示部２００２を本
体部２００１上に折りたたむことにより、メイン側の液晶表示パネル２０が消灯し、代わ
りにサブ側の液晶表示パネル３０が点灯して所定の画像が表示されるように構成すること
もできる。
【図面の簡単な説明】
【００７９】
【図１】本実施形態に係る液晶表示装置の構成を示す側面図である。
【図２】本実施形態に係る液晶表示パネルの平面図である。
【図３】２画面表示における駆動シーケンス図である。
【図４】サブ表示パネルのみを表示する場合における駆動シーケンス図である。
【図５】メイン表示パネルのみを表示する場合における駆動シーケンス図である。
【図６】本実施形態に係る液晶表示装置の駆動方法を示すフローチャートである。
【図７】本実施形態の液晶表示装置を適用した電子機器の回路構成を示す図である。
【図８】本実施形態の液晶表示装置を適用した電子機器の例を示す図である。
【符号の説明】
【００８０】
３２ａ、３２ｂ  ソース線、  ３３ａ、３３ｂ  ゲート線、  ２１ａ、２１ｂ  ゲート
線駆動回路、  ４０  ドライバＩＣ、  ２０、３０  液晶表示パネル、  １００  液晶表
示装置
【図１】
2007304522.tif 000003
【図２】
2007304522.tif 000004
【図３】
2007304522.tif 000005
【図４】
2007304522.tif 000006
【図５】
2007304522.tif 000007
【図６】
2007304522.tif 000008
【図７】
2007304522.tif 000009
【図８】
2007304522.tif 000010